(57)【要約】【課題】本発明は、携帯電話テレビ会議システムにおいて、センター装置を介さずにテレビ会議を構成でき、また、加入者数を拡張可能とすることを目的とする。【解決手段】本発明による携帯電話テレビ会議システムは、複数のターミナルアダプタＴＡをディージーチェーン方式で通信接続して通信ネットワークＴＮＷを構成し、これらのターミナルアダプタＴＡからＰＣカードなどの拡張カードを介して単数又は複数の携帯電話機Ｆと通信接続し、これにより、携帯電話テレビ会議ネットワークを構成する。【選択図】図１
2007124492.tif 000002
【特許請求の範囲】
【請求項１】
映像の入力と表示が可能で、音声の入出力が可能な複数の携帯電話機と；
単数又は複数の前記携帯電話機と通信可能に接続された複数のターミナルアダプタとを備え；
複数の前記ターミナルアダプタは通信ネットワークを構成し；
前記通信ネットワークを介して複数の前記携帯電話機によるテレビ会議が可能である；
携帯電話テレビ会議システム。
【請求項２】
前記通信ネットワークは複数の前記ターミナルアダプタをディージーチェーン方式で通信接続して構成される；
請求項１に記載の携帯電話テレビ会議システム。
【請求項３】
前記ターミナルアダプタはＰＣカードなどの拡張カードを介して単数又は複数の前記携帯電話機に通信接続される；
請求項１又は請求項２に記載の携帯電話テレビ会議システム。
【請求項４】
前記テレビ会議の実施に際して、前記ターミナルアダプタの他のターミナルアダプタ及び前記携帯電話機に対する接続手順が、前記ターミナルアダプタの内部メモリに登録されている；
請求項１乃至請求項３のいずれか１項に記載の携帯電話テレビ会議システム。
【請求項５】
単数又は複数の携帯電話機を通信接続可能であり、複数の前記携帯電話機によるテレビ会議が可能となるように、他のターミナルアダプタと通信ネットワークを構成可能である；
ターミナルアダプタ。
【請求項６】
テレビ会議の実施に際して、前記他のターミナルアダプタ及び前記携帯電話機に対する接続手順が内部メモリに登録されている；
請求項５に記載のターミナルアダプタ。
【請求項７】
テレビ会議グループに属する１台の携帯電話機から前記携帯電話機に通信可能に接続されたターミナルアダプタにテレビ会議召集のための発呼を行なう工程と；
前記ターミナルアダプタから他のターミナルアダプタに通信接続する工程と；
前記他のターミナルアダプタからさらに他のターミナルアダプタに通信接続する工程を繰り返してターミナルアダプタの通信ネットワークを構成する工程と；
前記通信ネットワークを構成する各ターミナルアダプタから、前記発呼を行った携帯電話機及び通話中の携帯電話機を除いて通信可能に接続された前記テレビ会議グループに属する携帯電話機に通信接続し、携帯電話テレビ会議ネットワークを構成する工程と；
前記通信ネットワークを構成する各ターミナルアダプタから、前記発呼した携帯電話機及び通話中の携帯電話機を除いて、前記テレビ会議グループに属する携帯電話機にテレビ会議召集のための通知を行なう工程とを備える；
携帯電話テレビ会議の実施方法。
【請求項８】
前記テレビ会議グループに属する各携帯電話機から、テレビ会議への参加の意思を通知する工程と；
前記テレビ会議の開始を全ての参加の意思を通知した者の携帯電話機に通知する工程と；  
前記テレビ会議の参加者の携帯電話機から前記参加者が発言を行なう工程と；
前記テレビ会議の終了を全ての参加者の携帯電話機に通知する工程とを備える；
請求項７に記載の携帯電話テレビ会議の実施方法。
【請求項９】
請求項７又は請求項８に記載の携帯電話テレビ会議の実施方法を、携帯電話機又はターミナルアダプタに実行させるためのプログラム。
【請求項１０】
請求項９に記載のプログラムが内部メモリに登録されている；
電気通信機械器具。
【発明の詳細な説明】
【技術分野】
【０００１】
本発明は携帯電話テレビ会議システム及び携帯電話テレビ会議の実施方法に関する。詳しくは、画像の入力と表示が可能で、音声の入出力が可能な複数の携帯電話機で通信ネットワークを構成して会議を行なう携帯電話テレビ会議システム及び携帯電話テレビ会議の実施方法に関する。
【背景技術】
【０００２】
通常のテレビ電話システムは、テレビ会議グループに属する携帯電話機端末の１つを親機にして、親機からの起動で、グループ内の残りの携帯電話機（子機）に１対Ｎ接続し、携帯電話機間で音声情報と映像情報を双方向で伝える携帯電話テレビ会議システムである。
【０００３】
従来の方式では、１つの携帯電話機（親機になる）がセンター装置（例えばデータセンターのサーバー）にアクセスしてこれを起動し、そのセンター装置から順次子機になる携帯電話機を呼び出して、１対Ｎのテレビ会議を実現していた（例えば特許文献１参照）。
【０００４】
【特許文献１】特開２００２−２５２８３９号公報（段落００４１〜００９１、図１〜図５）
【発明の開示】
【発明が解決しようとする課題】
【０００５】
しかしながら、携帯電話機の現在のネットワークでサポートするテレビ会議システム、例えばＭ−ｓｔａｇｅビジュアルネットサービス（ＮＴＴドコモ社）ではセンター装置を介さなければテレビ会議システムを構成できず、簡便に利用できないという問題があった。また、携帯端末の画面を４分割して使用することなどから、加入者数Ｎが４以下であるなど限度があり、それ以上の会議への参加者を拡張できないという問題があった。
【０００６】
また、携帯電話機をディジーチェーン（Ｄａｉｓｙ  Ｃｈａｉｎ）方式で接続してテレビ会議ネットワークを構成すると、テレビ会議グループに属するいずれかの携帯電話機が通話中などで使用中であるとそこでネットワークが途切れてしまうという問題があった。
【０００７】
本発明は、センター装置を介さずにテレビ会議システムを構成できる方法を提供することを目的とする。また、テレビ会議の加入者数を拡張可能とし、１対Ｎのテレビ会議を実現することを目的とする。また、好ましくは、携帯電話機が通話中でもテレビ会議ネットワークの構成ができるようにすることを目的とする。
【課題を解決するための手段】
【０００８】
本発明は、センター装置を介さずにテレビ会議システムを構成するため、また、加入者数を例えば数１０端末に拡大するため、携帯電話ネットワークＦＮＷの外側に専用のターミナルアダプタＴＡによる通信ネットワークＴＮＷを設ける。順次ターミナルアダプタＴＡをチェーンに接続して通信ネットワークＴＮＷを構成し、加入者数を任意数に拡張し、１対Ｎのテレビ会議を実現する。また、本発明の好ましい態様によれば、専用のターミナルアダプタＴＡをディジーチェーン方式で接続することにより、通話中の携帯電話機Ｆがあっても、ターミナルアダプタＴＡによる通信ネットワークＴＮＷの構成を最後まで完了でき、使用中の携帯電話機Ｆがあってもその携帯電話機を除いて携帯電話機Ｆによるテレビ会議ネットワークを構成できる。
【０００９】
上記課題を解決するために、請求項１に記載の携帯電話テレビ会議システム１００は、例えば図１に示すように、映像の入力と表示が可能で、音声の入出力が可能な複数の携帯電話機Ｆ（１）〜Ｆ（２ｍ）と、単数又は複数の携帯電話機Ｆ（１）〜Ｆ（２ｍ）と通信可能に接続された複数のターミナルアダプタＴＡ（１）〜ＴＡ（ｍ）とを備え、複数のターミナルアダプタＴＡ（１）〜ＴＡ（ｍ）は通信ネットワークＴＮＷを構成し、通信ネットワークＴＮＷを介して複数の携帯電話機Ｆ（１）〜Ｆ（２ｍ）によるテレビ会議が可能である。
【００１０】
ここにおいて、「携帯電話テレビ会議システム」とは、音声と映像を使ってリアルタイムに複数の拠点と通信でき、会議が可能なシステムで、複数の拠点で用いる端末が携帯電話機であるものをいう。したがって、「テレビ会議が可能」とは、親機と複数の子機間でリアルタイムに音声の双方向通信が可能であり、少なくとも親機から複数の子機へリアルタイムに映像の通信ができることを意味する。また、「通信可能に接続」とは、有線又は無線の通信路で結ばれていることを意味する。このように構成すると、テレビ会議の加入者数を拡張可能とし、１対Ｎのテレビ会議を実現できる。また、専用のターミナルアダプタＴＡを利用することで、ターミナルアダプタによる通信ネットワークＴＮＷの構成を最後まで完了できる。また、従来の装置を用いて安価に携帯電話テレビ会議システムを構成できる。
【００１１】
請求項２に記載の発明は、請求項１に記載の携帯電話テレビ会議システムにおいて、通信ネットワークＴＮＷは複数のターミナルアダプタＴＡをディージーチェーン方式で通信接続して構成される。ここにおいて、「通信接続」とは、通信路を介して回線接続され、会話やデータの送受が可能になることをいう。このように構成すると、センター装置を用いずに、順次ターミナルアダプタＴＡをチェーンに接続して通信ネットワークＴＮＷを構成するのに好適である。また、専用のターミナルアダプタＴＡを利用することで、通話中の携帯電話機ＦがあってもターミナルアダプタＴＡによる通信ネットワークＴＮＷの構成を最後まで完了できる。
【００１２】
請求項３に記載の発明は、請求項１又は請求項２に記載の携帯電話テレビ会議システムにおいて、例えば図２に示すように、ターミナルアダプタＴＡはＰＣカードなどの拡張カードＰＣ１、ＰＣ２を介して単数又は複数の携帯電話機Ｆに通信接続される。このように構成すると、複数の携帯電話機Ｆを各ターミナルアダプタＴＡに接続でき、テレビ会議への加入者数の拡張に好適である。
【００１３】
請求項４に記載の発明は、請求項１乃至請求項３のいずれか１項に記載の携帯電話テレビ会議システムにおいて、テレビ会議の実施に際して、ターミナルアダプタＴＡの他のターミナルアダプタＴＡ及び携帯電話機Ｆに対する接続手順が、ターミナルアダプタＴＡの内部メモリに登録されている。このように構成すると、各ターミナルアダプタＴＡはその接続手順を用いて自動的に通信ネットワークＴＮＷの構成を行える。
【００１４】
請求項５に記載のターミナルアダプタＴＡ（１）〜ＴＡ（ｍ）は、例えば図１に示すように、単数又は複数の携帯電話機Ｆ（１）〜Ｆ（２ｍ）を通信接続可能であり、複数の携帯電話機Ｆ（１）〜Ｆ（２ｍ）によるテレビ会議が可能となるように、他のターミナルアダプタと通信ネットワークＴＮＷを構成可能である。このように構成すると、センター装置を介さずにテレビ会議システムを構成でき、テレビ会議の加入者数を拡張可能とし、１対Ｎのテレビ会議を実現するに適したターミナルアダプタＴＡ（１）〜ＴＡ（ｍ）を提供できる。
【００１５】
請求項６に記載の発明は、請求項５に記載のターミナルアダプタＴＡにおいて、テレビ会議の実施に際して、他のターミナルアダプタ及び携帯電話機Ｆに対する接続手順が内部メモリに登録されている。このように構成すると、各ターミナルアダプタＴＡはその接続手順を用いてテレビ会議ネットワークの構成におけるそれぞれの接続処理を自動的に実行でき、グループ所属のターミナルアダプタＴＡの協働処理により自動的にテレビ会議のネットワークを構成できる。
【００１６】
請求項７に記載の携帯電話テレビ会議の実施方法は、例えば図３、図４に示すように、テレビ会議グループに属する１台の携帯電話機Ｆ（ｋａ）から携帯電話機Ｆ（ｋａ）に通信可能に接続されたターミナルアダプタＴＡ（ｋ）にテレビ会議召集のための発呼を行なう工程（ステップＳ００１）と、ターミナルアダプタＴＡ（ｋ）から他のターミナルアダプタＴＡ（ｋ＋１）に通信接続する工程（ステップＳ００２）と、他のターミナルアダプタＴＡ（ｋ＋１）からさらに他のターミナルアダプタＴＡ（ｋ＋２）に通信接続する工程を繰り返してターミナルアダプタＴＡの通信ネットワークＴＮＷを構成する工程（ステップＳ００２）と、通信ネットワークＴＮＷを構成する各ターミナルアダプタＴＡから、発呼を行った携帯電話機及び通話中の携帯電話機を除いて通信可能に接続されたテレビ会議グループに属する携帯電話機Ｆに通信接続し（ステップＳ００３）、携帯電話テレビ会議ネットワークを構成する工程（ステップＳ００５）と、通信ネットワークＴＮＷを構成する各ターミナルアダプタＴＡから、発呼した携帯電話機Ｆ（ｋａ）及び通話中の携帯電話機を除いて、テレビ会議グループに属する携帯電話機Ｆにテレビ会議召集のための通知を行なう工程（ステップＳ００６）とを備える。
【００１７】
ここにおいて、「発呼を行った携帯電話機及び通話中の携帯電話機を除いて」において、通話中の携帯電話機がない場合には発呼を行った携帯電話機のみが除かれる。このように構成すると、センター装置を介さずにテレビ会議システムを構成できる。また、テレビ会議の加入者数を拡張可能とし、１対Ｎのテレビ会議を実現できる。また、専用のターミナルアダプタＴＡをディジーチェーン方式で接続することにより、通話中の携帯電話機があればこれを除いて携帯電話機Ｆによるテレビ会議ネットワークを構成できる。また、従来の技術を用いて安価に携帯電話テレビ会議を実現できる。
【００１８】
請求項８に記載の発明は、請求項７に記載の携帯電話テレビ会議の実施方法において、例えば図４に示すように、テレビ会議グループに属する各携帯電話機Ｆから、テレビ会議への参加の意思を通知する工程（ステップＳ００７）と、テレビ会議の開始を全ての参加の意思を通知した者の携帯電話機Ｆに通知する工程（ステップＳ００８）と、テレビ会議の参加者の携帯電話機Ｆから参加者が発言を行なう工程（ステップＳ０１０）と、テレビ会議の終了を全ての参加者の携帯電話機Ｆに通知する工程（ステップＳ０１２）とを備える。このように構成すると、テレビ会議を好適に実施できる。
【００１９】
請求項９に記載の発明は、請求項７又は請求項８に記載の携帯電話テレビ会議の実施方法を、携帯電話機又はターミナルアダプタに実行させるためのプログラムの発明である。
【００２０】
請求項１０に記載の発明は、請求項９に記載のプログラムを搭載する携帯電話機又はターミナルアダプタ等の電気通信機械器具の発明である。
【発明の効果】
【００２１】
本発明によれば、携帯電話ネットワークＦＮＷの外側に専用のターミナルアダプタＴＡによる通信ネットワークＴＮＷを設け、順次ターミナルアダプタＴＡをチェーンに接続して通信ネットワークＴＮＷを構成することにより、センター装置を介さずにテレビ会議システムを構成できる方法を提供でき、また、テレビ会議の加入者数を拡張可能とし、１対Ｎのテレビ会議を実現できる。
【００２２】
また、本発明の好ましい態様によれば、専用のターミナルアダプタＴＡをディジーチェーン方式で接続することにより、通話中の携帯電話機があってもターミナルアダプタＴＡによる通信ネットワークＴＮＷの構成を最後まで完了でき、これら通話中の携帯電話機を除いて携帯電話機Ｆによるテレビ会議ネットワークを構成できる。また、従来の装置を用いて安価に携帯電話テレビ会議システムを構成できる。
【発明を実施するための最良の形態】
【００２３】
以下に図面に基づき本発明の実施の形態について説明する。
【００２４】
図１に本実施の形態における携帯電話テレビ会議システムの構成例を示す。本実施の形態における携帯電話テレビ会議システム１００は、携帯電話テレビ会議に使用する複数の携帯電話機Ｆ（Ｆ（１）〜Ｆ（２ｍ））を１グループ（テレビ会議グループ）にまとめ、これらグループに属する携帯電話機Ｆによるテレビ会議ネットワークを構成して、テレビ会議を行なうシステムである。グループに属する１つの携帯電話機を親機にして、親機からの起動で、グループ内の残りの携帯電話機（子機）に１対Ｎ接続し、親機からの映像、音声情報を子機に伝え、子機からの音声情報を親機に伝え、双方向で通信が可能なシステムである。
【００２５】
本発明はセンター装置を必要とせず、また、加入者数（グループに属する携帯電話機数）を拡張可能である。携帯電話ネットワークＦＮＷの外側にターミナルアダプタＴＡのネットワークＴＮＷを構築し、各ターミナルアダプタＴＡに携帯電話ネットワークＦＮＷを介して単数又は複数の携帯電話機Ｆに通信接続してテレビ会議が可能な通信ネットワーク（テレビ会議ネットワークと称する）を構成する。テレビ会議グループに所属する各ターミナルアダプタＴＡがグループ内の他のターミナルアダプタ及び携帯電話機Ｆに自動的に通信接続することにより携帯電話テレビ会議ネットワークが構成される。また、ネットワークＴＮＷを構成するターミナルアダプタＴＡの数を増加することにより、任意台数、例えば数１０端末に拡大可能である。
【００２６】
図１において、Ｆ（１）〜Ｆ（２ｍ）はテレビ会議グループに所属するものとして設定された１群の携帯電話機（例えばＮＴＴドコモ社のＦＯＭＡ端末）であり、画像の入力（撮影など）と表示が可能で、音声の入出力が可能である。各携帯電話機Ｆ（１）〜Ｆ（２ｍ）はそれぞれのエリアを管轄する基地局ＢＦ（１）〜ＢＦ（２ｍ）を介して携帯電話ネットワークＦＮＷ（例えばＦＯＭＡネットワーク）に接続される。図１では携帯電話機Ｆ（１）〜Ｆ（２ｍ）がＦＯＭＡ端末であり、携帯電話ネットワークＦＮＷがＦＯＭＡネットワークである例を示す。
【００２７】
ＴＡ（１）〜ＴＡ（ｍ）はターミナルアダプタで、それぞれ２つの拡張カードＰＣ１，ＰＣ２（例えばＰＣカード）を拡張スロットに接続でき（拡張スロットは１以上任意数で良い）、それぞれの拡張カードＰＣ１、ＰＣ２はモデム機能を有し、それぞれのエリアを管轄する基地局ＢＴ（１）〜ＢＴ（ｍ）（ＴＡ（１）〜ＴＡ（ｍ）に対応して）を介して携帯電話ネットワークＦＮＷに接続され、それぞれテレビ会議グループに所属する所定の携帯電話機Ｆに通信接続されるように設定されている。このようにターミナルアダプタＴＡと携帯電話機Ｆとが携帯電話ネットワークＦＮＷを介して通信接続されることを「連結される」ということとする。これらのターミナルアダプタＴＡ（１）〜ＴＡ（ｍ）も携帯電話機Ｆ（１）〜Ｆ（２ｍ）と同じテレビ会議グループに所属する。図１では、拡張カードがＰＣカードであり、ｍ台のターミナルアダプタＴＡ（１）〜ＴＡ（ｍ）がそれぞれ２台、合計２ｍ台の携帯電話機Ｆ（１）〜Ｆ（２ｍ）に通信接続される（すなわち連結される）例を示す。なお、「ＰＣカード」は米国の標準化団体であるピーシーエムシーアイエー（ＰＣＭＣＩＡ：Ｐｅｒｓｏｎａｌ  Ｃｏｍｐｕｔｅｒ  Ｍｅｍｏｒｙ  Ｃａｒｄ  ＩＮＷｔｅｒｎａｔｉｏｎａｌ  Ａｓｓｏｃｉａｔｉｏｎ）と（社）日本電子工業振興協会（ＪＥＩＤＡ：Ｊａｐａｎ  Ｅｌｅｃｔｒｏｎｉｃ  ＩＮＷｄｕｓｔｒｙ  Ｄｅｖｅｌｏｐｍｅｎｔ  Ａｓｓｏｃｉａｔｉｏｎ）とで共同規格された拡張カードである。
【００２８】
また、各ターミナルアダプタＴＡ（１）〜ＴＡ（ｍ）は例えば２チャンネルのＩＳＤＮ回線を介してＩＳＤＮネットワークＩＮＷに接続される。例えばＩＳＮ−６４を用いると、通信速度６４Ｋｂｐｓで２回線接続可能であり、例えばディージーチェーン方式で予め設定した順番で数珠繋ぎに接続可能である。
【００２９】
このように、ｍ台のターミナルアダプタＴＡ（１）〜ＴＡ（ｍ）がディージーチェーン方式で接続され、ターミナルアダプタＴＡによる通信ネットワークＴＮＷが構成される。さらに、各ターミナルアダプタＴＡ（１）〜ＴＡ（ｍ）がＰＣカードＰＣ１、ＰＣ２及び携帯電話ネットワークＦＮＷを介して、各２台ずつ、合計２ｍ台の携帯電話機Ｆ（１）〜Ｆ（２ｍ）に通信接続されることにより、テレビ会議ネットワークが構成される。ここでは、携帯電話機Ｆが２ｍ台で、ターミナルアダプタＴＡがｍ台の例について説明したが、ディージーチェーン方式を用いる構成では、任意台数Ｎ台の接続が可能になり、例えば加入者数３０のテレビ会議も可能になる。
【００３０】
図２に本実施の形態におけるターミナルアダプタＴＡの構成例を示す。図２において、ターミナルアダプタＴＡは、ＩＳＤＮ回線に接続するためのＩＳＤＮ回線インタフェースＩ−Ｉ／Ｆ、携帯電話ネットワークＦＮＷを介して携帯電話機Ｆに通信接続するための無線インタフェースＰＣ−Ｉ／Ｆ、及び中央処理装置ＣＰＵを有する。無線インタフェースＰＣ−Ｉ／Ｆには２つのＰＣスロットが設けられ、それぞれＰＣカードＰＣ１、ＰＣ２を挿入可能である。各ＰＣカードは携帯電話ネットワークＦＮＷを介して所定の携帯電話機Ｆに連結されるように設定されている。無線インタフェースＩ−Ｉ／ＦはＩＳＤＮ回線の終端機能を持ち、ＩＳＤＮ回線ネットワークＩＮＷを介して他の２つのターミナルアダプタＴＡと通信接続できる。中央処理装置ＣＰＵは、映像、音声情報を無線から有線へ、又は有線から無線へ変換処理したり、発信や着信の制御を行なう。また、中央処理装置ＣＰＵは内部メモリを有し、例えばテレビ会議グループに所属する携帯電話機ＦやターミナルアダプタＴＡから発呼信号が来た時に通信接続すべき携帯電話機ＦやターミナルアダプタＴＡに対する通信接続手順、通信切断手順、他のターミナルアダプタやＰＣカードＰＣ１、ＰＣ２を介して連結される携帯電話機に対する通信接続手順、通信切断手順、ＤＴＭＦ（Ｄｉａｌ  Ｔｏｎｅ  Ｍｕｌｔｉ  Ｆｒｅｑｕｅｎｃｙ）信号等の各種信号と当該ターミナルアダプタＴＡの処理手順との対応表、テレビ会議用資料のイメージ画像などを登録可能である。
【００３１】
図３に本実施の形態における携帯電話テレビ会議システムについて、通信接続手順の例を示す。図３には、ターミナルアダプタＴＡがｍ台で、携帯電話機Ｆが２ｍ台の例が示されている。テレビ会議グループに属する１つの携帯電話機Ｆ（ｋａ）（親機になる）から発呼があり、基地局Ｂ（ｋ）を介して当該携帯電話機Ｆ（ｋａ）が連結されるターミナルアダプタＴＡ（ｋ）の拡張スロットに挿入されたＰＣカードＰＣ（ｋａ）（例えばＦＯＭＡ用ＰＣカード）に着信があると、ターミナルアダプタＴＡ（ｋ）が起動し、ターミナルアダプタＴＡ（ｋ）の拡張スロットに挿入されたもう１つのＰＣカードＰＣ（ｋｂ）経由でグループ内の他の１つの携帯電話機Ｆ（ｋｂ）（子機になる）に基地局Ｂ（ｋ）を介して通信接続処理を行なうとともに、ＩＳＤＮ回線経由で（すなわちＩＳＤＮネットワークＩＮＷを経由で）グループ内の他のターミナルアダプタＴＡ（ｋ＋１）に通信接続処理を行なう。
【００３２】
ターミナルアダプタＴＡ（ｋ＋１）はターミナルアダプタＴＡ（ｋ）より起動され、ターミナルアダプタＴＡ（ｋ＋１）内のＰＣカードＰＣ（ｋ＋１ａ）及びＰＣ（ｋ＋１ｂ）経由でグループ内の他の２つの連結される携帯電話機Ｆ（ｋ＋１ａ）、Ｆ（ｋ＋１ｂ）（それぞれ子機になる）に通信接続処理を行なうとともに、ＩＳＤＮ回線ＩＮＷ経由でグループ内のさらに他のターミナルアダプタＴＡ（ｋ＋２）に通信接続処理を行なう。
【００３３】
このように、ターミナルアダプタＴＡはディージーチェーン方式で、順次数珠繋ぎに接続され、接続された各ターミナルアダプタＴＡからＰＣカードを介してグループ内の携帯電話機Ｆに順次接続される。グループ内の全ての携帯電話機Ｆ（１）〜Ｆ（２ｍ）が接続されると、最後の携帯電話機Ｆ（ｋ−１ｂ）に連結されるターミナルアダプタＴＡ（ｋ−１）から最初のターミナルアダプタＴＡ（ｋ）に通信接続処理がされ、その結果、親機１対子機Ｎのテレビ会議ネットワークが構成されて、例えば音声の双方向通信及び映像の親機から子機への通信ができるテレビ会議が可能になる。なお、子機からの音声は親機にだけでなく他の子機にも送信される。
【００３４】
このように、ディージーチェーン方式を用いる構成では、任意台数Ｎ台の接続に好適であり、したがって１対Ｎのテレビ会議の実現に好適である。
なお、テレビ会議のグループに属する各携帯電話機Ｆは対等の立場にあり、どの携帯電話機ＦからＴＶ会議を招集しても良い。すなわち、いずれの携帯電話機Ｆも親機になれる。
【００３５】
ターミナルアダプタＴＡは、特定基地局へトラヒックが集中するのを避けるため、１箇所に集中設置するよりもいくつかのエリアに分散して配置するのが好ましく、通常はグループに所属するメンバーの所在地（勤務先など）の近くに配置される。また、ここでは、１台のターミナルアダプタＴＡに２台の携帯電話機Ｆを接続する例を説明したが、１台のターミナルアダプタＴＡには、任意の個数の携帯電話機Ｆを接続できるように構成しても良く、例えば３〜４台としても良い。
【００３６】
図４に本実施の形態における携帯電話テレビ会議の処理フロー例を示す。
まず、テレビ会議を召集したい親機のメンバー（発信者）は、テレビ会議のグループに属する１つの携帯電話機Ｆ（ｋａ）（通常は最も近くの携帯電話機）から、ＰＣカードＰＣ（ｋａ）を介して携帯電話機Ｆ（ｋａ）に連結されるターミナルアダプタＴＡ（ｋ）にテレビ会議召集のための発呼を行なう（ステップＳ００１）。この発呼は例えば携帯電話機Ｆ（ｋａ）の所定のボタンを押して行なう。ターミナルアダプタＴＡ（ｋ）は発呼を受けて起動し、このターミナルアダプタＴＡ（ｋ）に連結される他の１つの携帯電話機Ｆ（ｋｂ）にＰＣカードＰＣ（ｋｂ）を介して通信接続処理を行なう（ステップＳ００３）。
【００３７】
テレビ会議の召集は、例えば携帯電話機Ｆの所定のボタンにＤＴＭＦ信号を対応させて、各ターミナルアダプタＴＡが受信したＤＴＭＦ信号からテレビ会議召集の信号である旨を認識し、それぞれの通信処理（召集信号伝達など）、接続処理、起動処理をすることにより行なう。
【００３８】
次に、このターミナルアダプタＴＡ（ｋ）は、グループ内の他のターミナルアダプタＴＡ（ｋ＋１）に通信接続処理を行い（ステップＳ００２）、他のターミナルアダプタＴＡ（ｋ＋１）を起動する。起動されたターミナルアダプタＴＡ（ｋ＋１）は、このターミナルアダプタＴＡ（ｋ＋１）に連結される２台の携帯電話機Ｆ（ｋ＋１ａ）、Ｆ（ｋ＋１ｂ）に通信接続処理、すなわちＴＶ会議召集のための発呼処理を行なう（ステップＳ００３）。
【００３９】
このターミナルアダプタＴＡ（ｋ＋１）は、さらに他のターミナルアダプタＴＡ（ｋ＋２）に通信接続を行い（ステップＳ００２）、ターミナルアダプタＴＡ（ｋ＋２）を起動する。起動されたターミナルアダプタＴＡ（ｋ＋２）は、このターミナルアダプタＴＡ（ｋ＋２）に連結される２台の携帯電話機Ｆ（ｋ＋２ａ）、Ｆ（ｋ＋２ｂ）に通信接続処理を行なう（ステップＳ００３）。このように、最後のターミナルアダプタＴＡ（ｋ−１）から最初のターミナルアダプタＴＡ（ｋ）に通信接続処理がされるまでは（ステップＳ００４でＮｏ）、ターミナルアダプタＴＡによる携帯電話機Ｆへの通信接続処理（ステップＳ００２）と他のターミナルアダプタへの通信接続処理（ステップＳ００３）を繰り返し行ない、最後のターミナルアダプタＴＡ（ｋ−１）から最初のターミナルアダプタＴＡ（ｋ）に通信接続処理がされることにより（ステップＳ００４でＹｅｓ）、ｍ台のターミナルアダプタＴＡによる一巡したディージーチェーン方式の通信ネットワークＴＮＷが構成されると共に、２ｍ台の携帯電話によるテレビ会議が可能な、すなわち、音声の双方向通信及び映像の親機から子機への通信が可能な携帯電話テレビ会議ネットワークが構成される（ステップＳ００５）。
【００４０】
ここでは、ターミナルアダプタＴＡ間の通信接続処理（ステップＳ００２）とターミナルアダプタＴＡから携帯電話機Ｆへの通信接続処理（ステップＳ００３）を交互に行なう例を説明したが、ターミナルアダプタＴＡ間の通信接続処理（ステップＳ００２）が全て行われた後に、ターミナルアダプタＴＡから携帯電話機Ｆへの通信接続処理（ステップＳ００３）を集中的に行っても良い。
【００４１】
グループ内の最後の携帯電話機Ｆ（ｋ−１ｂ）に通信接続されるターミナルアダプタＴＡ（ｋ−１）から最初のターミナルアダプタＴＡ（ｋ）に接続処理がされると、すなわち通話中の携帯電話機への通信接続を除いて携帯電話テレビ会議ネットワークが完成すると、テレビ会議の召集を行った携帯電話機Ｆ（ｋａ）に連結されるターミナルアダプタＴＡ（ｋ）が、グループ内の全ての携帯電話機Ｆへの通信接続処理、すなわち発呼処理がなされたことを認識し、テレビ会議のグループの全ての携帯電話機Ｆにその旨を通知する（ステップＳ００６）。
【００４２】
通信接続処理され、発呼を受けた各携帯電話機Ｆでは、テレビ会議グループのメンバーは各携帯電話機Ｆから参加又は不参加の意思を表明する（ステップＳ００７）。この意思表明は例えば携帯電話機Ｆの所定のボタンを押して行なう。
【００４３】
通信接続処理の際に、携帯電話機が話中であっても、ディージーチェーン方式によるターミナルアダプタＴＡ間の通信接続処理は進められ、他の携帯電話機への発呼処理も進められる。話中の携帯電話機では、テレビ会議召集の通知が行われた事実が保存され、メンバーは通話が終わればテレビ会議召集の通知を認識して、テレビ会議への参加の意思を表明できる。このように、携帯電話ネットワークＦＮＷの外に専用のターミナルアダプタＴＡを用いてターミナルアダプタＴＡによる通信ネットワークＴＮＷを構成することで、ディージーチェーンの接続は最後まで完了でき、いくつかの携帯電話機Ｆが使用中でもそれらの端末を除いてテレビ会議グループに属する全ての携帯電話機Ｆへの通信接続を早期に完了できる。
【００４４】
各ターミナルアダプタＴＡが、ＰＣカードを介して連結される携帯電話機Ｆからテレビ会議召集の発呼を受けた際、又は他のターミナルアダプタＴＡからテレビ会議召集の通信接続処理をされた際の、ＰＣカードを介して連結される携帯電話機Ｆへの通信接続処理及び他のターミナルアダプタＴＡへの通信接続処理の手順については、予め各ターミナルアダプタＴＡの中央処理装置ＣＰＵの内部メモリにプログラムとして登録されており、このプログラムに従って処理が進められる。
【００４５】
テレビ会議を召集した親機のメンバー（発信者）は、テレビ会議のグループの携帯電話機（子機）からの参加の意思表示の表明を受けて、例えば所定数以上のメンバーから参加の意思表示がされるなどによりテレビ会議開催の条件が満たされたと判断すると、テレビ会議の開始を、少なくとも全ての参加の意思を表明した者の携帯電話機Ｆに通知する（ステップＳ００８）。この通知は例えば携帯電話機Ｆの所定のボタンを押して行なう。テレビ会議開催の条件が満たされなかった場合には、親機のメンバーは、例えば延期などの通知を行なう。
【００４６】
会議が開催されると、親機のメンバーから、映像を参照しながら議題及び資料の説明がされる（ステップＳ００８）。資料は、予め親機の撮像装置から連結されたターミナルアダプタＴＡの内部メモリにイメージ情報の形式で読み込まれ、あるいは親機のボタンなどの入力手段からテキスト情報の形式で読み込まれ、登録され、親機のボタン操作により、各子機に送信し、各子機の画面に表示される。また、親機の撮像装置から撮影した画像（現場の実況画像など）を各子機に送信し、子機の画面に表示しても良い。この撮影した画像を連結されるターミナルアダプタＴＡの内部メモリに記録として残すことも可能である。画像の送信は、例えば親機Ｆの所定のボタンにＤＴＭＦ信号を対応させて、各ターミナルアダプタＴＡが受信したＤＴＭＦ信号から画像送信の信号である旨を認識し、親機で撮影されて送信された又は親機と連結されたターミナルアダプタＴＡの内部メモリから読み出されて送信された画像を、各ターミナルアダプタＴＡがそれぞれに連結された子機に送信して画面表示することにより行なう。なお、会議用資料は別途ファクシミリにより各参加者に送付されても良い。
また、子機のメンバーが発言する際には、各子機から読み込んだ情報を、親機及び他の子機に送信し、画面表示することも可能である。
【００４７】
親機のメンバーが議題及び資料の説明を行なう間、発言権及び画像表示権は親機のメンバーが有する。親機のメンバーが映像を参照して議題及び資料の説明を行なった（ステップＳ００９）後、会議への参加者に発言（質問、意見、補足説明など）を求める。参加者は自己の子機から発言権を求める（ステップＳ０１０）。発言権の求めは例えば携帯電話機Ｆの所定のボタンを押して行なう。あるいは、声を出して発言を求めても良い。親機のメンバーから発言権及び画像表示権を移譲された子機のメンバーは発言を行なう（ステップＳ０１０）。発言者の発言が終わると、発言権と画像表示権は、親機のメンバーに戻され、親機のメンバーは質問に答えたり、次の発言者を選んで、発言権を付与したりする。
【００４８】
なお、各携帯電話機Ｆの表示画面に資料（撮影画像を含む）を表示しない時には、発言者の携帯電話機の撮像装置を用いて発言者の顔が映るようにしておく。親機の撮影装置から例えば親機のメンバーの顔が映るようにしておく。
【００４９】
例えば、映像は親機から子機の方向に送信され、逆方向の送信は禁止される。音声についても、親機から子機の方向に送信され、逆方向の送信は禁止されるようにしても良い。この送信方向の制御は、各ターミナルアダプタＴＡの中央処理装置ＣＰＵで行なうことが可能である。しかし、テレビ会議のグループ内で発言者が発言権と画像表示権を有するものと取り決め、そのように運用しても良い。また、音声の方向は双方向に保ち、子機からの発言を禁じなくても良い。グループ内では、相互の声を認識している場合が多いので、誰の発言かわかり、会議を進行する上で差し支えなく、この方が種々の状況に応じて融通性に富む運用ができると考えられる。本実施の形態ではこのように構成されるものとする。携帯電話機Ｆの画像、音声の主導権の切り替えなどは、例えばＤＴＭＦ信号に対応付けられた携帯電話機Ｆの所定のボタンを押して行なう。
【００５０】
画像の送信は親機から子機へと行なわれる。子機のメンバーが画像表示権を得たい場合には、親機になることを求める。親機になることの求めは例えば携帯電話機Ｆの所定のボタンを押して行なう。親機になれば子機（元の親機を含む）の画面に画像を送信、表示可能である。送信を希望した子機のメンバーに主導権（親機の権限）を移転する。新たな親機のメンバーは画像表示権を有し、他のメンバーに画像を送信できる。画像の送信と関連する説明が終了したら、元の親機のメンバーに親機の権限を戻す。また、子機のメンバーから別の議題が提示されたなどの場合に、親機の権限を子機に移転する。
【００５１】
携帯電話機の主導権（親機の権限）の切り替えは、例えば携帯電話機Ｆの所定のボタンにＤＴＭＦ信号を対応させて、親機に連結されるターミナルアダプタＴＡ及び新しく親機になる携帯電話機に連結されるターミナルアダプタＴＡが、それぞれ受信又は送信したＤＴＭＦ信号から主導権（親機）の切り替え信号である旨を認識し、映像の送信方向を切り替えることにより行なう。
【００５２】
例えば、議論が進み、親機のメンバーが結論を出す期が熟したと判断すると、多数決などで結論を出す（ステップＳ０１１）。参加者は、賛成、反対などの意思表示を行なう。この意思表示は例えば携帯電話機Ｆの所定のボタンを押して行なう。又、例えば親機のメンバーが伝達したい情報が他のメンバーに十分伝達されたと判断し、結論を出さずに会議の終了を決意する場合もある。
【００５３】
全ての議題について結論が出された、時間切れになった、参加者全員が合意した、情報が十分伝達されたなどにより、親機のメンバーがテレビ会議を終了すべきと判断した場合に、親機のメンバー（発信者）から会議の終了を少なくとも全ての参加者の携帯電話機Ｆに通知する（ステップＳ０１２）。この会議の終了の通知は例えば携帯電話機Ｆの所定のボタンを押して行なう。会議の終了通知がされると、各ターミナルアダプタＴＡは、ＰＣカードを介して連結された携帯電話機Ｆの通信接続を切断し、また他のターミナルアダプタＴＡに順番に終了を通知していき、ディージーチェーン接続を切断する（ステップＳ０１３）。これにより携帯電話テレビ会議のネットワークが解除される（ステップＳ０１４）。
【００５４】
会議の終了通知は、例えば携帯電話機Ｆの所定のボタンにＤＴＭＦ信号を対応させて、各ターミナルアダプタＴＡが受信したＤＴＭＦ信号から会議の終了信号である旨を認識し、それぞれの通知処理と切断処理を行なうことにより行なう。
【００５５】
例えば親機のメンバーにより議事録が作成され、会議における発言の記録と使用された資料と共に、親機が連結されるターミナルアダプタＴＡの内部メモリに保存される。
【００５６】
また、本発明は実施の形態で説明した携帯電話テレビ会議の実施方法を、携帯電話機又はターミナルアダプタに実行させるためのプログラムとしても実現できる。このプログラムは、携帯電話機又はターミナルアダプタ内蔵のＲＯＭやＲＡＭに記録されて使用されても良く、ＣＤＲＯＭや周辺の記録装置に記録され、携帯電話機又はターミナルアダプタに読み込まれて使用されても良く、インターネットなどから携帯電話機又はターミナルアダプタにダウンロードされて使用されても良い。
【００５７】
以上、本実施の形態について説明したが、本発明はこの実施の形態に限られるものではなく、本発明の趣旨を逸脱しない範囲で、実施の形態に種々の変更を加えられることは明白である。
【００５８】
例えば、本実施の形態では、携帯電話機として、ＦＯＭＡ端末の例で説明したが、映像の入力と表示が可能で、音声の入出力が可能であれば、他の携帯電話機を用いても良い。また、ターミナルアダプタから携帯電話機への通信接続をＰＣカードで行なう例を説明したが、ターミナルアダプタから最低１台の携帯電話機に有線又は無線で通信接続できれば良く、例えばモデムを用いても良い。また、３台以上の携帯電話機を通信接続できるようにしても良い。
【００５９】
また、本実施の形態ではターミナルアダプタの通信ネットワークをＩＳＤＮ回線を用いて構成する例を説明したが、ＩＳＤＮ回線に代えて、ＡＤＳＬ回線とＩＰネットワークによるＩＰ接続を用いて構成しても良い。また、ターミナルアダプタの通信ネットワークをディージーチェーン以外の方式を用いて、例えばスター状に構成しても良い。
【００６０】
また、本実施の形態では、音声は双方向通信ができ、映像は親機から子機への通信ができる例を説明したが、音声も映像もいずれの携帯電話からも他の全ての携帯電話に流れるようにターミナルアダプタで制御しても良く、音声も映像も親機から子機にのみ流れるようにターミナルアダプタで制御しても良い。
【００６１】
また、本実施の形態では、親機のメンバーが発言権と画像表示権の付与を行なうものとして説明したが、参加者が親機のメンバー以外に議長を選出し、議長が発言権と画像表示権の付与を行なうように運用しても良い。また、議事録の作成も選出された書記が行なうようにしても良い。
【００６２】
また、ターミナルアダプタＴＡの内部メモリーに保存したものの一部又は全部を携帯電話機のメモリーに保存しても良い。
また、本実施の形態では携帯電話機やターミナルアダプタが１つのテレビ会議グループに所属する場合について説明したが、例えば、会社内の部のグループ、課のグループ等複数のグループに所属する場合もあり得る。このような場合にはターミナルアダプタＴＡにどのテレビ会議グループかを識別する機能をもたせ、グループに応じて通信接続先のターミナルアダプタＴＡを切り替可能に構成することも可能である。
なお、本実施の形態では、端末が携帯電話機の例を説明したが、画像の入力と表示が可能で音声の入出力が可能な固定端末を用いても同様のテレビ会議システムを構成できる。
【産業上の利用可能性】
【００６３】
本発明は携帯電話機を用いるテレビ会議に利用できる。
【図面の簡単な説明】
【００６４】
【図１】本実施の形態における携帯電話テレビ会議システムの構成例を示す図である。
【図２】本実施の形態におけるターミナルアダプタの構成例を示す図である。
【図３】本実施の形態における通信接続手順の例を示す図である。
【図４】本実施の形態における携帯電話テレビ会議の処理フロー例を示す図である。
【符号の説明】
【００６５】
１００  携帯電話テレビ会議システム
Ｆ，Ｆ（１）〜Ｆ（２ｍ）、Ｆ（ｋａ）、Ｆ（ｋｂ）  携帯電話機
ＴＡ，ＴＡ（１）〜ＴＡ（ｍ）、ＴＡ（ｋ）  ターミナルアダプタ
Ｂ（１）〜Ｂ（ｍ）、ＢＦ（１）〜ＢＦ（２ｍ）、ＢＴ（１）〜ＢＴ（ｍ）  基地局
ＰＣ１、ＰＣ２、ＰＣ（ｋａ）、ＰＣ（ｋｂ）  ＰＣカード
ＦＮＷ  携帯電話ネットワーク
ＩＮＷ  ＩＳＤＮネットワーク
ＴＮＷ  通信ネットワーク（ターミナルアダプタのネットワーク）
ＣＰＵ  中央処理装置
ＰＣ−Ｉ／Ｆ  無線インタフェース
Ｉ−Ｉ／Ｆ  ＩＳＤＮ回線インタフェース
【図１】
2007124492.tif 000003
【図２】
2007124492.tif 000004
【図３】
2007124492.tif 000005
【図４】
2007124492.tif 000006